(57)【要約】【課題】試聴者が店頭で使用するオーディオホーン展示装置であって、ケーブルを格納でき、使用し易い装置を提供する。【解決手段】本発明のオーディオホーン展示装置１００は、オーディオホーンを試聴するための展示装置であって、試聴用オーディオホーンのケーブル１を巻き取りし、かつ繰り出しする内部ユニットと、該内部ユニットを納める展示用外函１０とからなり、前記内部ユニットは、オーディオケーブルを巻き取る回転パイプと付勢用ぜんまいバネとを有し、該付勢用ぜんまいバネの軸芯が回転パイプの回転軸と同軸に取り付けされており、展示用外函１０の函内部に水平に支持されていることを特徴とする。【選択図】図１
2018030700.tif 000002
【特許請求の範囲】
【請求項１】
オーディオホーンを試聴するための展示装置であって、試聴用オーディオホーンのケーブルを巻き取りし、かつ繰り出しする内部ユニットと、該内部ユニットを納める展示用外函とからなり、前記内部ユニットは、オーディオケーブルを巻き取る回転パイプと付勢用ぜんまいバネとを有し、該付勢用ぜんまいバネの軸芯が回転パイプの回転軸と同軸に取り付けされており、展示用外函の内部に水平に支持されていることを特徴とするオーディオホーン展示装置。
【請求項２】
オーディオケーブルの他端であるプラグケーブルが回転パイプ面に開けた開口を通じて、回転パイプの一端から展示用外函の外側に導かれ得ることを特徴とする請求項１記載のオーディオホーン展示装置。
【請求項３】
展示用外函には、オーディオホーン本体を懸架または載置するラックと、携帯機器置き板と、オーディオケーブル引き出し孔およびプラグケーブル引き出し孔を有することを特徴とする請求項１または請求項２記載のオーディオホーン展示装置。
【請求項４】
展示用外函には、表示装置を有することを特徴とする請求項１ないし請求項３のいずれか１の請求項記載のオーディオホーン展示装置。
【請求項５】
オーディオケーブルの繰り出し時に、ケーブルの巻き戻し力を停止する構造を有することを特徴とする請求項１ないし請求項４のいずれか１の請求項記載のオーディオホーン展示装置。
【発明の詳細な説明】
【技術分野】
【０００１】
本発明は、オーディオホーン展示装置に関する。オーディオホーンとは、イヤホンやヘッドホンのことであり、それらの性能を販売店の店頭等で試聴する目的の装置に関する。
【背景技術】
【０００２】
近年、各種携帯機器の発達に伴い、音楽等の記録媒体の再生、ラジオやテレビ放送などを家庭のみならず、屋外等において携帯機器に接続したオーディオホーンを介して聴取することが広く行われている。音楽等の音質はオーディオホーンの性能が大きく影響するため、高性能かつ高価なオーディオホーンが各種開発され販売されている。
これら高性能なオーディオホーンを購入するには、予め個人的にも試聴して、好みの特性のオーディオホーンを選択して使用するのが最近の傾向である。そのため、これら機器の販売店には、オーディオホーンを試聴するコーナーが設けられていて、混雑する状況を見せている。
【０００３】
オーディオホーンは、イヤホンやヘッドホン本体の発音部と携帯機器に差し込みするプラグと、その両者間を結ぶオーディオケーブルとからなっている。オーディオケーブルは２本の長くて細いケーブルであり、試聴用の多数のオーディオホーンがコーナーに展示されると、イヤホン本体などと共に絡みあって、解きほぐすのが困難になり、厄介な状況になるという問題がある。
【０００４】
そこで、ケーブルのみを円筒状のドラムに巻き取って置き、試聴の際にのみオーディオケーブルを引き出してイヤホンを耳に装着して使用する装置が試作されている。これらは、ぜんまいバネを用いた装置でケーブルを人力で引き出した際のエネルギーをバネに蓄え、バネの付勢力をケーブル巻き戻しの動力に使うものである。
しかし、引き出したケーブルの巻き戻し力が強く、イヤホンが耳から抜けてしまい易いか、逆に巻き戻し力が弱くケーブルを巻き取れないなどのほか、構造が複雑で故障し易いなどの問題が生じている。
そこで、出願人は使用し易い展示装置を研究し、本発明の完成に到ったものである。
【０００５】
本願に直接関連する先行特許文献は検出できないが、特許文献１には、イヤホンコードの巻取り装置が記載されている。しかし、オーディオホーンの展示装置に関するものではない。また、特許文献２には、コード巻取り装置が記載されている。特許文献３にも同様に、電気掃除機のコードリールユニットが記載されている。いずれも展示装置に関するものではない。
【先行技術文献】
【特許文献】
【０００６】
【特許文献１】特開平６−２６９０７３号公報
【特許文献２】実開平５−  ６５９６９号公報
【特許文献３】特開平５−２４５０７８号公報
【発明の概要】
【発明が解決しようとする課題】
【０００７】
オーディオホーンの展示装置において、オーディオケーブルを巻き取りし、かつ繰り出しすることができる装置であて、オーディオホーンを外観的にも見易く展示できると共に、操作し易く、かつ展示品の交換も容易な装置を提供することを課題とする。
【課題を解決するための手段】
【０００８】
上記の課題を解決するために、本発明の要旨に係るオーディオホーン展示装置は、オーディオホーンを試聴するための展示装置であって、試聴用オーディオホーンのケーブルを巻き取りし、かつ繰り出しする内部ユニットと、該内部ユニットを納める展示用外函とからなり、前記内部ユニットは、オーディオケーブルを巻き取る回転パイプと付勢用ぜんまいバネとを有し、該付勢用ぜんまいバネの軸芯が回転パイプの回転軸と同軸に取り付けされており、展示用外函の内部に水平に支持されていることを特徴とする。
【０００９】
上記において、オーディオケーブルの他端であるプラグケーブルが回転パイプ面に開けた開口を通じて、回転パイプの一端から展示用外函の外面に導かれ得るようにすることができる。
【００１０】
また、上記において、展示用外函には、オーディオホーン本体を懸架または載置するラックと、携帯機器置き板と、オーディオケーブル引き出し孔およびプラグケーブル引き出し孔を有するようにすることができ、さらに、展示用外函には、表示装置を有するようにすることもでき、オーディオケーブルの繰り出し時に、ケーブルの巻き戻し力を停止する構造を有するようにすることもできる。
【発明の効果】
【００１１】
本発明のオーディオホーン展示装置は、オーディオホーンの長いケーブルが不使用時には巻き取りして格納できるので、ケーブル相互間で絡みあったりすることがなく、扱い易く顧客が快適に使用できる。
各種のオーディオホーンを交換して簡単に取り付けできるので、展示者側にとっても装置の維持管理が容易である。
持参した携帯機器にプラグを差し込みして簡単に試聴できるので、利便性が高い。
表示装置を設ける場合は、オーディオホーンの性能等が視覚的にも確認できる。
【図面の簡単な説明】
【００１２】
【図１】オーディオホーン展示装置の外観斜視図である。
【図２】オーディオホーン展示装置の正面透視図である。
【図３】オーディオホーン展示装置の側面透視図である。
【図４】内部ユニットの回転パイプと回転円板を示す図である。
【図５】内部ユニットのパイプ軸固定パーツを示す図である。
【図６】回転パイプのケーブル巻き取り状態を背面からみた外観図である。
【発明を実施するための形態】
【００１３】
以下、本発明の実施形態について、図面を参照しながら、詳細に説明する。
図１は、オーディオホーン展示装置の外観斜視図である。
オーディオホーン展示装置（以下、単に「展示装置」ともいう。）１００は、展示用外函１０と内部ユニットからなっている。図１では、内部ユニットは見えていない。
【００１４】
前面板１１には、オーディオホーンの本体ホーン（イヤホンやヘッドホン本体の発音部）用ラック（イヤホン用ラック）１１１、携帯機器置き板１１２、プラグ用ラック１１７を有している。また、前面板１１のほぼ中心上方には、オーディオケーブル（単に「ケーブル」ともいう。）２のケーブル引き出し孔１１３とケーブル停止つまみ１１５を有し、左下方にプラグケーブル５の引き出し孔１１４を有している。なお、オーディオケーブルのプラグ４側のケーブルをプラグケーブル５とする。
また、表示装置１１６を設けることができる。ただし、これらの全てを備えることが必須の要件ではない。
ケーブル停止つまみ１１５は、必要な長さのケーブル１を引き出した後に、巻き戻し力を一時的に停止させるもので前面板１１の背面でケーブル１を挟み、巻き戻りを停止させる構造を有している。表示装置１１６は、展示するオーディオホーンの品名や性能、価格等を可変に表示する装置である。携帯機器置き板１１２は、試聴者が持参した携帯機器を置く場であり、プラグ４を携帯機器に差し込みして試聴するものである。
【００１５】
なお、展示装置１００の形態は、この外観形態に限定されず、特許請求の範囲を逸脱しない範囲で各種の形態を採用し得ることは自明なことである。
また、以下の説明、および図面において、イヤホン３につてのみ記載するが、ヘッドホンについては、ホーン用ラックが大型化するほかは同様であり、容易に類推できるので重複しては記載しない。
【００１６】
図２は、オーディオホーン展示装置の正面透視図、図３は、オーディオホーン展示装置の側面透視図であって、図３（Ａ）は、左側面図、図３（Ｂ）は、右側面図である。
各図中、実線部は外観から見える形状であり、鎖線部は展示用外函１０内の内部ユニット２０等を透視した状態を示している。図１において外観から見える一部装置（表示装置１１６等）は省略している。
【００１７】
図２のように、前面板１１は、左側面板１２や右側面板１３、上面板１４が構成する内部ユニット２０の収容空間部の前面よりも大きな前面面積にされている。
図３のように、左側面板１２、右側面板１３は、外観状は頂部を切断した略直角三角形状の板になっている。左側面板１２には、側面板開口１２１を有し、該開口を中心にして、左側面板１２の内側に円環状のボールベアリング２６が固定支持されている。
【００１８】
図２、図３において、鎖線で示すように、内部ユニット２０は、中空の回転パイプ２１とその両端の回転円板２２，２３、および回転パイプ２１の一端側に取り付けされた付勢用ぜんまいバネ２４を有している。回転パイプ２１の一端側とぜんまいバネ２４は、パイプ軸固定パーツ２５に固定されており、回転パイプ２１の他端側（図２において左側）は、前記ボールベアリング２６を介して、左側面板１２に支持されている。
【００１９】
付勢用ぜんまいバネ２４の軸芯２４ｊ自体は、パイプ軸固定パーツ２５に一体にされていて回転しないが、回転パイプ２１とぜんまいバネ２４の外輪およびバネ自体は、回転パイプ２１に巻いたケーブル１の引き出しに伴い回転するようにされている。すなわち、ケーブル１の引き出しと共に、ぜんまいバネ２４が引き締められ、巻き戻しのための力を蓄えることになる。
回転円板２２，２３は、巻き取りしたケーブル１を回転パイプ２１からはみ出しさせない目的で設けるもので、回転パイプ２１よりも大きな径にされた円板である。
【００２０】
図４は、内部ユニットの回転パイプと回転円板を示す図である。
回転パイプ２１は、正面図のように中空円筒状のパイプであり、両端に回転円板２２，２３が嵌め込まれている。この回転パイプ２１の円筒面にケーブル１が巻き取られる。
回転パイプ２１自体は空心であって軸芯を持たないが、実質的な回転中心軸Ｃとぜんまいバネ２４の軸芯２４ｊとが直線状に位置するように水平に保たれる。
回転パイプ２１には、プラグケーブル５を回転パイプ内に導くための開口２１１が形成されている。
【００２１】
正面図左側の回転円板２２は、中心に同心円状のバカ穴（空の穴）２２１を有し、同様に円環状にされたボールベアリング２６に固定され、ボールベアリング２６は、さらに左側面板１２に固定支持される。
右側の回転円板２３は、中心に回転パイプ２１の外径よりも小径のバカ穴を有し、このバカ穴にぜんまいバネ２４が差し込まれ、さらに軸芯２４ｊで固定される。
【００２２】
図５は、内部ユニットのパイプ軸固定パーツを示す図であって、図５（Ａ）は、前面板１１側から透視して見た正面図、図５（Ｂ）は、左側面図である。
パイプ軸固定パーツ２５は、矩形状の板材２枚を直角に組み合わせした材料であり、板材の水平板材２５１が展示用外函１０の底面板１５にねじ留めされて固定される。また、垂直板材２５２にはバカ穴２５２ｈがあって、このバカ穴にぜんまいバネ２４の軸芯２４ｊが挿入される。
ぜんまいバネ２４と回転パイプ２１の実質的な回転中心軸Ｃは、図２にも図示されるように、パイプ軸固定パーツ２５と左側面板１２との間で水平に保たれる。
【００２３】
図６は、回転パイプのケーブル巻き取り状態を背面からみた外観図であって、背面板１６を外して見た状態である。
パイプ軸固定パーツ２５の垂直板材２５２側にぜんまいバネ２４があり、左側面板１２の内側の円環状ボールベアリング２６との間で、回転パイプ２１は水平に保たれている。
オーディオホーンのケーブル１は、イヤホン３側は通常２本（モノラルでは１本）、プラグケーブル５側は１本にされている。イヤホン３側は、１メートル近くの長さがあるので、回転パイプ２１の直径が５０ｍｍであれば、５〜６回巻き程度となる。プラグケーブル５は回転パイプ２１に開けた開口２１１とボールベアリング２６の中央の穴を通じて、プラグケーブル引き出し孔１１４に導かれる。プラグケーブル５が回転パイプ２１の回転に伴い、引っ張り取られないように、プラグケーブル引き出し孔１１４か回転パイプ２１の開口２１１付近でプラグケーブル５をテープ等で固定しておくことが好ましい。
【００２４】
ぜんまいバネ２４は、バネの始端はバネの中心軸に固定されている。一方、バネの終端はぜんまいバネ２４の外輪に固定されている。バネの中心軸は回転しないが、外輪は回転パイプ２１の一端に嵌め込まれていて、回転パイプ２１と一体になって回転する。
従って、巻き取られているケーブル１が繰り出される際に、ぜんまいバネ２４のバネが捲かれて力が蓄えられ、試聴が終わった際に、ケーブル１を巻き戻す動力になる。
【００２５】
ぜんまいバネ２４の巻き戻し力にもよるが、回転パイプ２１の径よりも小さい外径のぜんまいバネ２４を使用することが、巻き戻し力を弱くでき、試聴者の耳からイヤホンが抜けてしまうことを防止できる。
耳からのイヤホン抜けを防止するためには、前記のように、ケーブル停止つまみ１１５を設け、対応して前面板１１の裏面に板バネ等からなるケーブル巻き戻り停止構造１１８を設けることができる。あるいはぜんまいバネ２４にラチェット機構を併用しても良い。
【００２６】
使用材料、その他の主な部品等について説明する。
展示用外函１０の前面板１１は、外観的に目立つ部分であり、着色した板材を使用するのが好ましい。材質的にはアクリルやポリエチレン、ポリプロピレン、塩化ビニル、ポリエチレンテレフタレート（ＰＥＴ）等の板材、メラミン等の樹脂成型板であっても良い。
左側面板１２、右側面板１３、上面板１４、底面板１５も同様である。
回転パイプ２１や回転円板２２，２３には、アクリルやポリエチレン、ポリプロピレン、塩化ビニル、ＰＥＴ等の材料を使用できる。回転パイプ２１内にプラグケーブル５を通すので透明な材料が好ましい。パイプ軸固定パーツ２５も同様材料を使用できるが、透明である必要はない。
【００２７】
ぜんまいバネ２４は、元に戻るトルクが一定でストロークによって変化しない定荷重バネの使用が好ましい。１メートル程度の引き出し長さ（ストローク）のあるものが好ましい。
巻き戻り停止構造１１８は、ケーブル停止つまみ１１５の操作により、板バネの力が働いてケーブル１の動きを停止させる簡単な構造のものであって良い。
表示装置１１６には、表示内容を可変に変更できる表示装置が好ましい。記憶機能を有する液晶やＬＥＤ表示装置に限らず、単に手書きした表示ラベルを抜き差しして交換できるものであっても良い。
【００２８】
次に、本展示装置の使用方法について説明する。
＜展示者側の準備＞
展示するオーディオホーンのプラグ４を前面板１１側からケーブル引き出し孔１１３を通して、内部ユニット２０側内に差し込みする。プラグ４は回転パイプ２１の開口２１１とボールベアリング２６の中心孔と左側面板１２の側面板開口１２１、および前面板１１のプラグケーブル引き出し孔１１４を通じて、プラグ用ラック１１７に懸架する。従って、各開口や引き出し孔はプラグ４を通し得る大きさにする。
イヤホン３をイヤホン用ラック１１１に懸架した後、前面板１１側に余分なケーブル１が残らないようにして、ケーブル１を順次、回転パイプ２１に巻き取るようにして回転パイプ２１を手動で回転させる。
【００２９】
＜試聴者側の利用＞
試聴者は、持参した携帯機器を携帯機器置き板１１２に載せ、プラグ４を携帯機器に差し込みする。次に、ケーブル１を引き出しし、必要な長さのケーブルを引き出したら、（必要によりケーブル停止つまみ１１５を操作してから）イヤホン３を耳にあてがう。携帯機器を操作して試聴し、オーディオホーンの性能を確認する。試聴後は、ケーブル（停止つまみがある場合は解除し）１を巻き戻す。
【実施例】
【００３０】
展示用外函１０の材料（前面板１１、左側面板１２、右側面板１３、上面板１４、底面板１５、背面板１６）として、厚み３ｍｍの黒色マットアクリル板を使用した。前面板１１の幅を１７０ｍｍ、高さを２９０ｍｍとした。
内部ユニット２０の回転パイプ２１として、外径５０ｍｍ、長さ１００ｍｍの透明アクリルパイプ（厚み３ｍｍ）を使用し、その両端に直径８０ｍｍの透明アクリル円板（厚み３ｍｍ）を回転円板２２，２３として嵌め込みした。パイプ軸固定パーツ２５にも透明アクリル板を使用した。
ぜんまいバネ２４として、ストローク１ｍの定荷重バネを使用した。
【００３１】
これらの材料を、図１〜図３に図示の展示装置１００に組み立てし、好適に使用することができた。
【符号の説明】
【００３２】
１  ：オーディオケーブル、ケーブル
３  ：イヤホン
４  ：プラグ
５  ：プラグケーブル
１０：展示用外函
１１前面板
１２左側面板
１３右側面板
１４：上面板
１５：底面板
１６：背面板
２０：内部ユニット
２１：回転パイプ
２２，２３：回転円板
２４：ぜんまいバネ
２５：パイプ軸固定パーツ
２６：ボールベアリング
１００：オーディオホーン展示装置、展示装置
１１１：イヤホン用ラック
１１２：携帯機器置き板
１１３：ケーブル引き出し孔
１１４：プラグケーブル引き出し孔
１１５：ケーブル停止つまみ
１１６：表示装置
１１７：プラグ用ラック
１１８：巻き戻り停止構造
１２１：側面板開口
【図１】
2018030700.tif 000003
【図２】
2018030700.tif 000004
【図３】
2018030700.tif 000005
【図４】
2018030700.tif 000006
【図５】
2018030700.tif 000007
【図６】
2018030700.tif 000008